(57)【要約】【課題】油含有土壌を微生物により浄化するバイオレメディエーションにおける異臭の問題を防止する。【解決手段】土壌浄化装置１は、浄化本体部２と、給気系３と、排気系５とを備えている。浄化本体部２は、複数の浄化槽２ａを備えており、各浄化槽２ａには、微生物が導入された油含有土壌が収容されている。各浄化槽２ａの油含有土壌には給気系３により空気が供給される。また、各浄化槽２ａの開口部２ｃは上蓋２ｂで閉じられており、各浄化槽２ａの上部に形成された空間Ｒの気体は、排気系５により外部に排気される。排気系５には、吸着塔５ｃが接続されており、各浄化槽２ａの空間Ｒの気体中の異臭物質を吸着するようになっている。これにより、バイオレメディエーションによる土壌浄化における異臭の問題を防止することができる。【選択図】図１
2016010780.tif 000002
【特許請求の範囲】
【請求項１】
油を分解する微生物が導入された油含有土壌を収容する容器を備えるとともに、前記容器の開口部を開閉する蓋部を備える浄化本体部と、
前記容器内の前記油含有土壌中に空気を供給する給気手段と、
前記容器内の気体を外部に排出する排気手段と、
前記排気手段に接続され、前記容器内の異臭物質を捕獲する捕獲手段と、
前記容器内の水分を排出する排水手段と、
を備えることを特徴とする土壌浄化装置。
【請求項２】
前記給気手段は、
前記容器内の底面に設けられた給気管を備え、
前記給気管と前記油含有土壌との間に給気管を保護する給気管保護部材を設けたことを特徴とする請求項１記載の土壌浄化装置。
【請求項３】
前記排水手段は、
前記容器内の底面に設けられた排水部を備え、
前記排水部と前記油含有土壌との間に前記排水部を保護する排水部保護部材を設けたことを特徴とする請求項１または２記載の土壌浄化装置。
【請求項４】
前記浄化本体部は、複数の前記容器を第１方向に沿って隣接させた状態で備え、
前記排気手段は、前記複数の容器の室内を連通するように前記容器の壁部に形成された排気孔を備え、
前記排気孔は、前記第１方向に隣接する前記排気孔同士が、前記第１方向に交差する第２方向の互いに反対の端部側に位置するように配置されていることを特徴とする請求項１、２または３記載の土壌浄化装置。
【発明の詳細な説明】
【技術分野】
【０００１】
本発明は、土壌浄化装置に関し、例えば、油含有土壌を微生物により浄化する生物浄化技術（バイオレメディエーション）に関するものである。
【背景技術】
【０００２】
バイオレメディエーションは、土壌中の有害物質を微生物により二酸化炭素や水等のような無害な物質に分解する技術であり、環境に優しく、洗浄法や加熱法等のような他の工法に比べて費用も安いこと等から油含有土壌の浄化工法として実用されている。
【０００３】
特に、バイオレメディエーションの１つであるランドファーミング（固層処理法）は、作業性や管理性が良く、上記他の工法に比べて費用も安いこと等から油含有土壌の浄化に有利な工法として多用されている。
【０００４】
このランドファーミングにおいては、例えば、油含有土壌を掘削して地上に盛土した後、その盛土に対して油分分解に優れた微生物および栄養塩を散布し、さらに、その盛土を重機により定期的に攪拌して土壌中を好気的条件に保つことにより、土着の微生物や散布した微生物の活性化を促して油分の分解を図るようにしている。
【０００５】
なお、バイオレメディエーションによる土壌浄化技術については、例えば、特許文献１，２に記載がある。特許文献１には、油含有土壌の浄化に適した微生物の種類等が開示されている。また、特許文献２には、難透水性の汚染土壌を原位置で解砕した後、その汚染土壌に微生物に対する栄養分溶液を供給し、汚染土壌領域をビニールシート等で被覆して嫌気性微生物を活性化させ、汚染土壌を浄化する土壌浄化方法が開示されている。
【先行技術文献】
【特許文献】
【０００６】
【特許文献１】特開２００９−２９１６７９号公報
【特許文献２】特開２００６−１２２８８０号公報
【発明の概要】
【発明が解決しようとする課題】
【０００７】
しかし、バイオレメディエーションを適用する場合には、その特徴や適用性について充分に検討し、最適な管理条件を見出して実施することが必要であり、例えば、汚染土壌に添加する栄養塩の添加量や種類によっては、微生物による有害物質の分解中にアンモニア臭や腐敗臭等のような異臭が発生し、近隣環境に多大な影響を与える場合がある。
【０００８】
本発明は、上述の技術的背景からなされたものであって、その目的は、油含有土壌を微生物により浄化するバイオレメディエーションおける異臭の問題を防止することが可能な技術を提供することを目的とする。
【課題を解決するための手段】
【０００９】
上記課題を解決するため、請求項１に記載の本発明の土壌浄化装置は、油を分解する微生物が導入された油含有土壌を収容する容器を備えるとともに、前記容器の開口部を開閉する蓋部を備える浄化本体部と、前記容器内の前記油含有土壌中に空気を供給する給気手段と、前記容器内の気体を外部に排出する排気手段と、前記排気手段に接続され、前記容器内の異臭物質を捕獲する捕獲手段と、前記容器内の水分を排出する排水手段と、を備えることを特徴とする。
【００１０】
また、請求項２に記載の本発明は、上記請求項１記載の発明において、前記給気手段は、前記容器内の底面に設けられた給気管を備え、前記給気管と前記油含有土壌との間に給気管を保護する給気管保護部材を設けたことを特徴とする。
【００１１】
また、請求項３に記載の本発明は、上記請求項１または２記載の発明において、前記排水手段は、前記容器内の底面に設けられた排水部を備え、前記排水部と前記油含有土壌との間に前記排水部を保護する排水部保護部材を設けたことを特徴とする。
【００１２】
また、請求項４に記載の本発明は、上記請求項１、２または３記載の発明において、前記浄化本体部は、複数の前記容器を第１方向に沿って隣接させた状態で備え、前記排気手段は、前記複数の容器の室内を連通するように前記容器の壁部に形成された排気孔を備え、前記排気孔は、前記第１方向に隣接する前記排気孔同士が、前記第１方向に交差する第２方向の互いに反対の端部側に位置するように配置されていることを特徴とする。
【発明の効果】
【００１３】
請求項１記載の発明によれば、油含有土壌を微生物により浄化するバイオレメディエーションにおける異臭の問題を防止することが可能になる。
【００１４】
請求項２記載の発明によれば、土壌浄化装置を構成する容器内の給気管を保護することが可能になる。
【００１５】
請求項３記載の発明によれば、土壌浄化装置を構成する容器内の排水部を保護することが可能になる。
【００１６】
請求項４記載の発明によれば、複数の容器の各室内における気体の排気性を向上させることが可能になる。
【図面の簡単な説明】
【００１７】
【図１】本発明の一実施の形態に係る土壌浄化装置の一例の平面図である。
【図２】図１の土壌浄化装置の排気経路の一例を示す平面図である。
【図３】図１の土壌浄化装置を構成する浄化槽の１つを抜き出して示した平面図である。
【図４】（ａ）は図３のＩ−Ｉ線の断面図、（ｂ）は図３の浄化槽の短辺側の側面図である。
【図５】図３のＩＩ−ＩＩ線の断面図である。
【図６】図４の領域Ａ１の拡大断面図である。
【図７】（ａ）は土壌浄化工程中の説明図、（ｂ）は図７（ａ）に続く土壌浄化工程中の説明図である。
【図８】（ａ）は図７（ｂ）に続く土壌浄化工程中の説明図、（ｂ）は図８（ａ）に続く土壌浄化工程中の説明図である。
【発明を実施するための形態】
【００１８】
以下、本発明の一例としての実施の形態について、図面に基づいて詳細に説明する。なお、実施の形態を説明するための図面において、同一の構成要素には原則として同一の符号を付し、その繰り返しの説明は省略する。また、「油含有土壌」とは、原油、重油、軽油、灯油、ガソリン、潤滑油、切削油、作動油、圧延油、絶縁油、エンジンオイル、ギアオイル、グリース等のような石油または石油を原料とする有機物を含む土壌をいい、例えば、石油により汚染された海岸の砂および土壌、石油に汚染された工場やガソリンスタンドの跡地の土壌、石油に汚染された廃棄物最終処分場の土壌および油田等のような天然の状態で石油を含有する土壌を含むものである。また、「浄化」とは、残留油分、油臭および油膜の低減または除去を意味する。
【００１９】
まず、本実施の形態の土壌浄化装置の一例について図１〜図６を参照して説明する。図１は本実施の形態の土壌浄化装置の一例の平面図、図２は図１の土壌浄化装置の排気経路の一例を示す平面図、図３は図１の土壌浄化装置を構成する浄化槽の１つを抜き出して示した平面図、図４（ａ）は図３のＩ−Ｉ線の断面図、図４（ｂ）は図３の浄化槽の短辺側の側面図、図５は図３のＩＩ−ＩＩ線の断面図、図６は図４の領域Ａ１の拡大断面図である。なお、図１および図３は平面図であるが、図面を見易くするために一部にハッチングを付している。
【００２０】
図１に示す本実施の形態の土壌浄化装置１は、油を分解する能力を有する微生物（３菌株）を利用して油含有土壌Ｓ（図４（ａ）および図５参照）を浄化する装置であり、浄化本体部２と、給気系（給気手段）３と、排水系（排水手段）４と、排気系（排気手段）５とを備えている。
【００２１】
浄化本体部２は、油含有土壌Ｓを浄化する本体部であり、複数の浄化槽（容器）２ａ（図１〜図５参照）と、各浄化槽２ａに設けられた複数の上蓋（蓋部）２ｂ（図４（ａ）および図５参照）とを備えている。特に限定されるものではないが、浄化本体部２の第１方向（図１の左右横方向）の全長は、例えば１１ｍ６８ｃｍ、第１方向に交差（直交）する第２方向（図１の上下縦方向）の全長は、例えば６６ｃｍである。
【００２２】
各浄化槽２ａは、油含有土壌Ｓを収容する直方体形状等に形成された容器であり、その各々の長辺の側壁部を接触させた状態で第１方向に沿って並んで設置されている。また、各浄化槽２ａは、例えば、建設工事用の水槽を転用したものであり、互いに同一の形状および寸法に形成されている。特に限定されるものではないが、各浄化槽２ａの第１方向の長さ（短辺の長さ）は、例えば、２ｍ３６ｃｍ、高さは、例えば、１ｍ９５ｃｍである。
【００２３】
各浄化槽２ａ内には、図４（ａ）および図５に示すように、油含有土壌Ｓが収容されている。ただし、油含有土壌Ｓは、浄化槽２ａ内に充填されておらず、油含有土壌Ｓと上蓋２ｂとの間に空間Ｒを形成した状態で収容されている。特に限定されるものではないが、浄化槽２ａの上部から油含有土壌Ｓの上面までの長さは、例えば、５０ｃｍである。
【００２４】
また、各浄化槽２ａの上面には、開口部２ｃが形成されている。上記した油含有土壌Ｓは、各浄化槽２ａの開口部２ｃを通じて、浄化槽２ａ内に収容されたり、浄化槽２ａから排出されたりする。微生物による油含有土壌Ｓ中の油の分解処理において、各浄化槽２ａの開口部２ｃは、上蓋２ｂにより開閉可能な状態で閉止される。このように上蓋２ｂを設けたことにより、各浄化槽２ａ中の油含有土壌Ｓの油を微生物により分解したときに発生した異臭物質を空間Ｒに閉じ込め、外部に漏れないようにすることができる。また、各浄化槽２ａ内に予期しない多量の雨水が浸入するのを防止することができるので、雨水に起因する栄養塩等の量の変動を防止することができる。このため、微生物による浄化効率が栄養塩の量の変動に起因して低下する不具合を防止することができる。
【００２５】
この上蓋２ｂは、図６に示すように、平板状の蓋本体部２ｂ１と、その外周近傍に設けられた枠体部２ｂ２とを有している。上蓋２ｂの蓋本体部２ｂ１は、例えば発泡スチロールにより形成されている。枠体部２ｂ２は、例えば、プラスチックにより形成されている。このように上蓋２ｂの大半を占める蓋本体部２ｂ１を軽い発砲スチロールで形成するとともに、その外周に強度の高いプラスチック製の枠体部２ｂ２を設けることにより、上蓋２ｂの機械的強度を確保したまま上蓋２ｂを軽量化することができるので、上蓋２ｂの取り扱いを容易にすることができる。
【００２６】
図１に示す給気系３は、浄化槽２ａ内における油含有土壌Ｓ中の微生物に空気（酸素）を供給するための構成であり、コンプレッサ３ａと、レシーバタンク３ｂと、レギュレータ３ｃと、外部給気管３ｄと、内部給気管（給気管）３ｅと、複数のバルブ３ｆ１，３ｆ２，３ｆ３とを備えている。
【００２７】
コンプレッサ３ａは、圧縮空気を発生する空気発生源（給気機構部）である。このコンプレッサ３ａの排気口はバルブ３ｆ１を介してレシーバタンク３ｂの注入口に機械的に接続されている。レシーバタンク３ｂは、コンプレッサ３ａから供給された圧縮空気を貯めるタンク（給気機構部）である。このレシーバタンク３ｂにより、浄化槽２ａ側に安定した圧の空気を供給することができるとともに、コンプレッサ３ａを保護することができる。レシーバタンク３ｂの排気口は、レギュレータ３ｃおよびバルブ３ｆ２を順に介して外部給気管３ｄに機械的に接続されている。レギュレータ３ｃは、浄化槽２ａ側に供給する圧縮空気の供給量を調節する調節器（給気機構部）である。外部給気管３ｄは、レギュレータ３ｃと各浄化槽２ａ内の内部給気管３ｅとを機械的に接続する外部配管（給気機構部）であり、レギュレータ３ｃを介して送られた圧縮空気を、各浄化槽２ａ内の内部給気管３ｅに送れるように多数に分岐された状態で設置されている。なお、バルブ３ｆ１，３ｆ２，３ｆ３は、各配管を開閉する部品（給気機構部）である。
【００２８】
内部給気管３ｅは、外部給気管３ｄから送られた圧縮空気（酸素）を、各浄化槽２ａ内の油含有土壌Ｓ中の微生物に供給するための内部配管である。この内部給気管３ｅは、例えば、各浄化槽２ａに２本ずつ設置されており、各浄化槽２ａの長手方向に沿って延在した状態で各浄化槽２ａ内の底面に固定されている。また、内部給気管３ｅは、例えば、硬質塩化ビニル管により形成されており、その外周には、配管の内外を貫通する複数の給気孔が形成されている。外部給気管３ｄから内部給気管３ｅに送られた圧縮空気は、内部給気管３ｅの複数の給気孔を通じて、各浄化槽２ａ内の油含有土壌Ｓ中に連続的または間欠的に供給されるようになっている。このため、油含有土壌Ｓ中に空気を含ませるために油含有土壌Ｓを重機により撹拌するような大がかりな作業を低減することができる。また、重機の使用を低減できるので、騒音の発生も低減することができる。
【００２９】
なお、各浄化槽２ａに設置される内部給気管３ｅの数は２本に限定されるものではなく種々変更可能であり、例えば、１本でも３本以上でも良い。また、内部給気管３ｅは線状に限定されるものではなく、例えば、各浄化槽２ａ内において１本から複数に分岐した形状にしても良い。また、内部給気管３ｅは、塩化ビニル管に限定されるものではなく種々変更可能であり、例えば、金属により形成しても良い。
【００３０】
図１に示す排水系４は、浄化槽２ａ内の油含有土壌Ｓ中の水分（微生物による油の分解により生じた水分を含む）を集めて浄化本体部２の外部に排出するための構成であり、排水部材（排水部）４ａと、排水管４ｂと、バルブ４ｃとを備えている。
【００３１】
排水部材４ａは、浄化槽２ａ内の油含有土壌Ｓ中の水分を集める部材であり排水経路を形成している。この排水部材４ａは、各浄化槽２ａに、例えば３本ずつ配置されており、内部給気管３ｅを挟むように各浄化槽２ａの長手方向に沿って延在した状態で各浄化槽２ａ内の底面に固定されている。この排水部材４ａは、例えば多孔質材料により形成されており、その排水経路の端部において浄化本体部２の外部の排水管４ｂと機械的に接続されている。各浄化槽２ａ内の油含有土壌Ｓ中の水分は、各浄化槽２ａの底面の排水部材４ａで集められ、排水管４ｂを通じて浄化本体部２の外部に排出されるようになっている。なお、バルブ４ｃは、排水管４ｂを開閉する部品である。
【００３２】
図４（ａ）および図５に示すように、上記した内部給気管３ｅおよび排水部材４ａは、保護部材（給気管保護部材、排水部保護部材）８により覆われている。この保護部材８は、内部給気管３ｅおよび排水部材４ａを保護する部材であり、内部給気管３ｅおよび排水部材４ａと油含有土壌Ｓとの間に設けられている。この保護部材８は、例えば、弾力性に優れた立体網状フィラメントを不織布フィルターにより被覆することで形成されており、（１）耐圧縮性、耐衝撃性に強く、排水性の著しい低下が無い、（２）軽量で運搬および施工が容易である、（３）砕石と同等以上の性能がある、（４）耐薬品性や耐微生物性に優れている、等のような優れた特徴を有している。
【００３３】
このような保護部材８を設けたことにより、内部給気管３ｅや排水部材４ａの損傷を防止することができる。また、内部給気管３ｅの給気孔が、油含有土壌Ｓ中の石や泥等により塞がるのを防止することができる。このため、各浄化槽２ａ内の油含有土壌Ｓ中の微生物に対して安定した状態で空気を供給することができるので、微生物の増殖や活性を促進させることができる。また、排水部材４ａの排水孔が、油含有土壌Ｓ中の石や泥等により塞がるのも防止することができるので、各浄化槽２ａ内の油含有土壌Ｓ中の水分を外部に良好に放出することができる。
【００３４】
図１および図２に示す排気系５は、各浄化槽２ａの空間Ｒ（図４（ａ）および図５参照）内の気体を外部に放出するための構成であり、排気管（排気孔）５ａと、排気ブロア５ｂと、吸着塔（捕獲手段）５ｃとを備えている。
【００３５】
排気管５ａは、各浄化槽２ａの空間Ｒを連通するように各浄化槽２ａの側壁部に設置されている。各排気管５ａは、第１方向（図１および図２の左右横方向）に隣接する排気管５ａ同士が、第２方向（図１および図２の上下縦方向）の互いに反対の端部側に位置するように配置されている。すなわち、第１方向に隣接する複数の排気管５ａが、千鳥状に配置されている。これにより、図２に示すように、各浄化槽２ａの空間Ｒ内の気体をまんべんなく排出することができる。すなわち、複数の浄化槽２ａの各空間Ｒにおける気体の排気性を向上させることができる。
【００３６】
浄化本体部２の第１方向の一端部の浄化槽２ａの排気管５ａは、排気ブロア５ｂに機械的に接続されている。排気ブロア５ｂは、各浄化槽２ａの空間Ｒ内の気体を外方に吸引する装置であり、例えば、電動式の送風機により構成されている。この排気ブロア５ｂにより、各浄化槽２ａの空間Ｒの気体は、浄化本体部２の外部に連続的または間欠的に排気されるようになっている。この排気ブロア５ｂの排気口は吸着塔５ｃに機械的に接続されている。
【００３７】
吸着塔５ｃは、排気ブロア５ｂから送られた気体中の異臭物質を吸着することにより、異臭物質が外部に漏れないようにする装置である。これにより、各浄化槽２ａにおいて微生物による油含有土壌Ｓ中の油の分解等により発生した異臭物質を吸着塔５ｃにおいて捕獲することができるので、バイオレメディエーションにおける異臭の問題を防止することができる。ここでは、例えば、２台の吸着塔５ｃが機械的に直列に接続されている。これにより、吸着塔５ｃが１台の場合よりも吸着塔５ｃの吸着面積を増やせるので異臭物質の吸着性能を向上させることができる。ただし、吸着塔５ｃは、２台に限定されるものではなく種々変更可能であり、１台または３台以上としても良い。各吸着塔５ｃの吸着材には、例えば、活性炭が使用されている。ただし、吸着材は、活性炭に限定されるものではなく種々変更可能である。また、異臭物質の種類に応じて、異なる吸着材を持つ吸着塔５ｃを直列に接続しても良い。
【００３８】
次に、本実施の形態の土壌浄化方法の一例について図７および図８を参照して説明する。図７および図８は土壌浄化工程の説明図である。
【００３９】
まず、図７（ａ）に示すように、作業者は、土壌を浄化する対象領域の油含有土壌Ｓに対して所定量の微生物（３菌株）および栄養塩を散布する。栄養塩としては、例えば硫安（窒素（Ｎ））および過リン酸石灰（リン（Ｐ））が使用されている。
【００４０】
続いて、図７（ｂ）に示すように、微生物等が散布された油含有土壌Ｓを重機１０により撹拌することにより油含有土壌Ｓと微生物および栄養塩とを混合した後、図８（ａ）に示すように、その油含有土壌Ｓを重機１０により土壌浄化装置１の各浄化槽２ａの開口部２ｃを通じて各浄化槽２ａ内に投入する。ここでは、油含有土壌Ｓを各浄化槽２ａ内に目一杯入れずに、油含有土壌Ｓの上方に空間が形成される程度に油含有土壌Ｓを入れたところで投入作業を終了する。
【００４１】
その後、図８（ｂ）に示すように、土壌浄化装置１の各浄化槽２ａの開口部２ｃを上蓋２ｂで閉じた後、給気系３により各浄化槽２ａ内の油含有土壌Ｓに空気を送り込むとともに、各浄化槽２ａの空間Ｒ内の気体を排気系５により浄化本体部２の外部に排気する。このとき、本実施の形態においては、各浄化槽２ａにおいて微生物による油含有土壌Ｓ中の油の分解等により発生した異臭物質を吸着塔５ｃにおいて捕獲することができるので、バイオレメディエーションにおける異臭の問題を防止することができる。
【００４２】
以上、本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００４３】
例えば、土壌浄化装置の浄化槽は少なくとも１つあれば良い。また、土壌浄化装置の浄化本体部を構成する浄化槽の底面に車輪を取り付けることにより、浄化本体部を移動させることが可能な構成としても良い。
【産業上の利用可能性】
【００４４】
以上のように、本発明に係る土壌浄化装置は、微生物による油含有土壌の浄化に有用である。
【符号の説明】
【００４５】
１  土壌浄化装置
２  浄化本体部
２ａ  浄化槽
２ｂ  上蓋
２ｂ１  蓋本体部
２ｂ２  枠体部
２ｃ  開口部
３  給気系
３ａ  コンプレッサ
３ｂ  レシーバタンク
３ｃ  レギュレータ
３ｄ  外部給気管
３ｅ  内部給気管
３ｆ１，３ｆ２，３ｆ３  バルブ
４  排水系
４ａ  排水部材
４ｂ  排水管
４ｃ  バルブ
５  排気系
５ａ  排気管
５ｂ  排気ブロア
５ｃ  吸着塔
８  保護部材
１０  重機
Ｓ  油含有土壌
Ｒ  空間
【図１】
2016010780.tif 000003
【図２】
2016010780.tif 000004
【図３】
2016010780.tif 000005
【図４】
2016010780.tif 000006
【図５】
2016010780.tif 000007
【図６】
2016010780.tif 000008
【図７】
2016010780.tif 000009
【図８】
2016010780.tif 000010